(57)【要約】【課題】カラオケ装置に表示される顔写真が小さくても誰であるのかを判別できるとともに、新たなカラオケの楽しみも創出できるカラオケ装置を提供する。【解決手段】顔写真と合成するフレームを多数記憶する手段と、利用者インタフェースにフレームを一覧表示して１つを特定する選択入力を促す手段と、利用者に割り当てられた個人識別符号と利用者が選択したフレームに利用者自身の顔写真を合成した個人識別標章とを対応付けしてメンバー登録する手段と、メンバー登録された個人識別標章を利用者インタフェースに一覧表示して１つを特定する選択入力を促す手段と、利用者が特定した楽曲と個人識別標章とに基づいて、楽曲ＩＤと個人識別符号とを演奏処理の待ち行列で管理する手段と、待ち行列で管理される楽曲が演奏処理される際に個人識別符号に対応付けされた個人識別標章を表示する手段とを備えている。【選択図】    図１７
2005107267.tif 000002
【特許請求の範囲】
【請求項１】
顔写真と合成するフレームを多数記憶するフレーム記憶手段と、
利用者インタフェースにフレームを一覧表示して１つを特定する選択入力を促すフレーム選択手段と、
利用者に割り当てられた個人識別符号と利用者が選択したフレームに利用者自身の顔写真を合成した個人識別標章とを対応付けしてメンバー登録するメンバー管理手段と、
メンバー登録された個人識別標章を利用者インタフェースに一覧表示して１つを特定する選択入力を促す標章選択手段と、
利用者が特定した楽曲と個人識別標章とに基づいて、楽曲ＩＤと個人識別符号とを演奏処理の待ち行列で管理する待ち行列管理手段と、
待ち行列で管理される楽曲が演奏処理される際に個人識別符号に対応付けされた個人識別標章を表示する個人識別標章表示手段と、
を備えたカラオケ装置。
【請求項２】
フレーム選択手段は、登録メンバーに対応付けされている個人識別標章に使用されているフレームを一覧中に表示しないことを特徴とする請求項１に記載のカラオケ装置。
【請求項３】
フレーム記憶手段は、同種のフレームに対して外形の異なる複数の変形フレームを対応づけして記憶し、個人識別標章表示手段は、待ち行列で管理される楽曲の演奏処理の過程で個人識別標章のフレームと同種の変形フレームを適宜に表示する請求項１または２に記載のカラオケ装置。
【請求項４】
楽曲演奏時に歌唱巧拙を採点して採点情報を出力する採点手段を備え、個人識別標章表示手段は、採点情報の出力結果に応じて個人識別標章のフレームと同種の変形フレームを適宜に表示する請求項３に記載のカラオケ装置。
【請求項５】
フレーム記憶手段は、フレームの一種として臨時利用者識別標章を記憶し、
メンバー管理手段は、臨時番号に対応付けして臨時利用者識別標章をメンバー登録し、
標章選択手段は、メンバー登録された臨時利用者識別標章も一覧表示し、
待ち行列管理手段は、利用者が特定した楽曲と臨時利用者識別標章とに基づいて、楽曲と臨時番号とを対応付けして待ち行列に登録し、
標章表示手段は、待ち行列の楽曲を演奏する際に、楽曲に臨時番号を介して対応付けされている臨時利用者識別標章を表示する
請求項１〜４のいずれかに記載のカラオケ装置。
【請求項６】
フレーム記憶手段は、会員用フレームを記憶し、フレーム選択手段は、会員用に割り当てられた個人識別符号の入力を受けた上でフレームの一覧表示の指示を受け付けると、利用者インタフェースに会員用フレームを一覧表示して１つを特定する選択入力を促すことを特徴とする請求項１〜５のいずれかに記載のカラオケ装置。
【発明の詳細な説明】
【技術分野】
【０００１】
この発明はカラオケ装置に関し、具体的には利用者の顔写真を掲示する機能を備えたカラオケ装置に関する。
【背景技術】
【０００２】
カラオケ装置は、多数のカラオケ楽曲について、伴奏音楽や歌詞の生成起源となるカラオケデータや、曲名やアーティスト名などの目次情報を楽曲番号に対応付けしてデータベースで識別管理している。そして、利用者入力に受け付けた演奏予約コマンドに含まれる楽曲番号を演奏処理の待ち行列で管理し、待ち行列から順次楽曲番号をピックアップして該当するカラオケデータを処理して伴奏音楽とそれに合わせて色変わりしていく歌詞画像とを音響映像出力する。
【０００３】
ところで、カラオケ装置には、待ち行列で楽曲とそれを演奏予約した利用者を対応付けして管理しておき、その楽曲に関する様々な処理に際して対応の利用者についての情報を適時に提示する機能を備えているものもある。例えば、特許文献１には、楽曲と待ち行列の内容を予約リストとして楽曲演奏の合間（曲間）に表示する際、リスト中の各楽曲の曲名にその曲を予約した利用者についての情報を添えて表示する技術が開示されている。また特許文献２には、デジタルカメラを搭載した選曲リモコン装置を付帯することで、予約リストや楽曲の演奏中あるいは演奏前後などに予約した利用者の顔写真を表示するカラオケ装置が開示されている。
【０００４】
これら特許文献に記載されたカラオケ装置によれば、楽曲に関する各種処理において、その楽曲を予約した人に付いての情報を表示し、カラオケ装置を供用する同伴者に誰が何を歌うのかを認知させ、例えば、思わぬ人が意外な曲を歌って周囲を驚かす、などといったカラオケの楽しみ方を提供することができる。
【特許文献１】特開平１０−７８７８６号公報
【特許文献２】特許第３４３２１３２号公報
【発明の開示】
【発明が解決しようとする課題】
【０００５】
特許文献１に記載されたカラオケ装置は、予約リストを表示する際、文字を主体とした利用者情報を曲名に添えていた。そのため、カラオケ装置を供用するグループの中に新顔がいれば、グループの他の利用者はその人の名前をよく知らない。そのため、利用者の名前などが曲名に添えて表示されても同伴者は誰だかわからない。
【０００６】
特許文献２に記載されたカラオケ装置なら、楽曲を予約した人の顔写真をその楽曲の処理に関連して適時に表示することができる。しかし、予約リスト中に写真を添えてもその大きさには限度があり、小さな顔写真では誰であるのかを判別できない。楽曲の演奏中あるいは前後に表示するにしても、歌詞文字や背景映像に対して目障りにならない程度に小さくする必要がある。
【課題を解決するための手段】
【０００７】
本発明は上記課題に鑑みなされたもので、カラオケ装置に表示される顔写真が小さくても誰であるのかを判別できるとともに、新たなカラオケの楽しみも創出できるカラオケ装置を提供することを目的としている。本発明の基本となるカラオケ装置は、
顔写真と合成するフレームを多数記憶するフレーム記憶手段と、
利用者インタフェースにフレームを一覧表示して１つを特定する選択入力を促すフレーム選択手段と、
利用者に割り当てられた個人識別符号と利用者が選択したフレームに利用者自身の顔写真を合成した個人識別標章とを対応付けしてメンバー登録するメンバー管理手段と、
メンバー登録された個人識別標章を利用者インタフェースに一覧表示して１つを特定する選択入力を促す標章選択手段と、
利用者が特定した楽曲と個人識別標章とに基づいて、楽曲ＩＤと個人識別符号とを演奏処理の待ち行列で管理する待ち行列管理手段と、
待ち行列で管理される楽曲が演奏処理される際に個人識別符号に対応付けされた個人識別標章を表示する個人識別標章表示手段と、
を備えている。
【０００８】
またこの発明は、前記の基本事項に加えて、次の事項（11）〜（15）を適宜に選択的に採用することができる。  
（11）フレーム選択手段は、登録メンバーに対応付けされている個人識別標章に使用されているフレームを一覧中に表示しない。  
（12）フレーム記憶手段は、同種のフレームに対して外形の異なる複数の変形フレームを対応づけして記憶し、個人識別標章表示手段は、待ち行列で管理される楽曲の演奏処理の過程で個人識別標章のフレームと同種の変形フレームを適宜に表示する。  
（13）楽曲演奏時に歌唱巧拙を採点して採点情報を出力する採点手段を備え、個人識別標章表示手段は、採点情報の出力結果に応じて個人識別標章のフレームと同種の変形フレームを適宜に表示する。  
（14）フレーム記憶手段は、フレームの一種として臨時利用者識別標章を記憶し、
メンバー管理手段は、臨時番号に対応付けして臨時利用者識別標章をメンバー登録し、
標章選択手段は、メンバー登録された臨時利用者識別標章も一覧表示し、
待ち行列管理手段は、利用者が特定した楽曲と臨時利用者識別標章とに基づいて、楽曲と臨時番号とを対応付けして待ち行列に登録し、
標章表示手段は、待ち行列の楽曲を演奏する際に、楽曲に臨時番号を介して対応付けされている臨時利用者識別標章を表示する。  
（15）フレーム記憶手段は、会員用フレームを記憶し、フレーム選択手段は、会員用に割り当てられた個人識別符号の入力を受けた上でフレームの一覧表示の指示を受け付けると、利用者インタフェースに会員用フレームを一覧表示して１つを特定する選択入力を促す。
【発明の効果】
【０００９】
本発明のカラオケ装置によれば、カラオケ装置に表示される顔写真が小さくても誰であるのかを判別できるとともに、新たなカラオケの楽しみも創出できる。
【発明を実施するための最良の形態】
【００１０】
＝＝＝ネットワーク構成＝＝＝
図１は本発明の実施例におけるカラオケ装置を含むネットワーク構成を示している。インターネットを利用したＶＰＮ（Virtual Private Network）７０にカラオケ事業者の各地のカラオケ店舗１００に敷設されたＬＡＮ１１０やホスト装置９０が接続されて広域イントラネットが構築されている。各地のカラオケ店舗１００の各客室１２０にはカラオケ装置１が設置され、カラオケ装置１は、カラオケ装置本体（以下、装置本体）１０と電子目次本と呼ばれる楽曲検索機能を備えた選曲予約装置３０とにより構成される。
【００１１】
装置本体１０は、ＶＰＮ７０を介してホスト装置９０と通信する。電子目次本３０は赤外線信号により装置本体１０に演奏予約コマンドを送信する。また、この電子目次本３０は内蔵２次電池により動作し、その２次電池を充電するための充電架台５０を付属している。この架台５０はＲＳ２３２Ｃなどの所定規格の通信インタフェースを備え、装置本体１０が装備する同規格の通信インタフェースと相互に接続されている。そして、電子目次本３０がこの充電架台５０に装着されると、電子目次本３０と装置本体１０とがこの充電架台５０を介して通信するように構成されている。なお、電子目次本３０と装置本体１０との双方向通信については、ＩＥＥＥ８０１．１１ｘ（ｘはａ，ｂ，ｇなど）規格の無線ＬＡＮなどを用いてもよい。もちろん、無線ＬＡＮであれば演奏予約コマンドをＬＡＮ経由で操作対象となる装置本体１０に送信することもできる。
【００１２】
＝＝＝カラオケ装置の基本的な構成と動作＝＝＝
図２は本実施例の装置本体１０の機能ブロック構成である。また図２（Ａ）と（Ｂ）に電子目次本３０の外観と機能ブロック構成を示した。装置本体１０は、周知の通信カラオケシステムの演奏端末とほぼ同様のハードウエア構成であり、中央制御部１１は、各周辺構成部を制御して装置本体１０を統括し、ハードディスク装置１２には多数のカラオケ楽曲について、ＭＩＤＩデータを主体とした伴奏音楽データと、歌詞画像の生成起源となる歌詞描出データとを含むカラオケデータが蓄積されている。また、所定形式の長時間分の動画データと、動画データの処理シーケンス（処理すべき動画データの格納場所と処理順番など）を規定した台本データや、演奏可能なカラオケ楽曲について、曲名やアーティスト名、発表年、歌詞の歌い出し部分などの目次情報も格納されている。そして、中央制御部１１は、各楽曲のカラオケデータ、台本データ、および目次情報を楽曲番号によって識別し、これをカラオケデータベースとして管理している。
【００１３】
ホスト装置９０は、装置本体１０に向けて新譜楽曲についてのカラオケデータ、台本データ、目次情報などを適時に配信したり、装置本体１０にて随時収拾される稼働ログなどを集信したりする。中央制御部１１は、ネットワークインタフェース２３を介して店舗ＬＡＮ１１０およびＶＰＮ７０に接続し、ホスト装置９０と通信する。そして、ホスト装置９０から送付されたカラオケデータを受け取ってカラオケデータベースの内容を更新したり、装置本体１０側にて収集される稼働ログなどの各種情報をホスト装置９０に送信したりする。
【００１４】
一方、電子目次本３０は、液晶ディスプレイ（ＬＣＤ）３１とタッチセンサ３２とを積層したタッチパネル３３を主体としたユーザインタフェースを備え、内蔵するフラッシュメモリ３５には装置本体１０に蓄積されているものと同様の目次情報や、タッチパネル３３に表示される各種画像情報などが蓄積されている。リモコン制御部３４は、ＣＰＵ、ＲＡＭ、ＲＯＭ、ビデオＲＡＭなどを含み、タッチパネル３３への入力情報に基づいて各種画像情報や文字情報をビデオＲＡＭにビットマップ展開し、そのビットマップデータに基づいてＬＣＤドライバ３６を駆動してタッチパネル３３に適宜な情報を表示する。また、フラッシュメモリ３５に蓄積されている目次情報を楽曲索引データベースとして管理している。
【００１５】
リモコン制御部３４は、タッチパネル３３を介した利用者との対話を通じて目次情報の断片をクエリーとして受け付け、該当するカラオケ楽曲の目次情報を楽曲索引データベースより取り出して提示する。そして、電子目次本３０において、最終的にカラオケ楽曲が１曲に特定され、その楽曲を演奏予約する旨の利用者入力がなされると、リモコン制御部３４は、楽曲番号を含む演奏予約コマンドのコードを生成してこれをＬＥＤドライバ３７に転送する。ＬＥＤドライバ３７は、ＬＥＤ３８を駆動してこのコードを含む赤外線信号を送出させる。
【００１６】
装置本体１０の操作制御部１３は、演奏予約コマンドのコードを受光部１５を介して受け取ると、そのコードを中央制御部１１に転送する。中央制御部１１は、そのコマンド中の楽曲番号を内部のＲＡＭに格納して演奏処理の待ち行列で管理する。そして、待ち行列から楽曲番号を順次取り出し、該当のカラオケデータをハードディスク装置１２より読み出し、このカラオケデータ中の伴奏音楽データをシンセサイザ１９に転送して伴奏音楽を生成させる。
【００１７】
一方、歌詞描出データについては、伴奏音楽に同期して歌唱すべき箇所が色変わりする歌詞画像をビデオＲＡＭ１６に順次ビットマップ展開していく。また、台本データに基づいて所定の動画データを所定の順番で映像制御部１７に順次転送して歌詞画像の背景動画を復号させる。
【００１８】
ミキシングアンプ２０は伴奏音楽と、マイクロホン２２に入力された歌声音声とを混合・増幅してスピーカ２１より音響出力する。映像制御部１７は、復号した動画映像に歌詞画像をスーパーインポーズ処理してディスプレイ１８に表示出力する。
【００１９】
＝＝＝利用者登録＝＝＝
本実施例では現に装置本体１０を使用している人を利用者として装置本体１０に一時登録し、装置本体１０は各利用者に２桁の一時的な識別符号（個人識別符号）と各利用者を特定するための画像情報（個人識別標章）と当該装置本体１０の利用履歴などの利用者情報を対応付けしてこれをメンバー表として管理する。
【００２０】
なお、カラオケ事業者が提供している各種付加サービスの享受会員としての資格を有する利用者は、専用のＩＣカードを所持しており、その利用者（会員）についてはＩＣカードの識別符号（会員ＩＤ）もメンバー表に登録して管理する。具体的には、ホスト装置９０は、会員登録されている利用者を会員ＩＤにより識別管理し、各会員ＩＤにその会員についての個人情報（氏名・連絡先・個人識別標章など）・選曲履歴・歌唱採点履歴・個人曲目帳（十八番など、よく歌う楽曲についての楽曲番号集：以下、ＭＹ 目次本と称す）などを利用者情報として対応付けして記憶・管理している。なお、会員ＩＤに対応付けされた情報の記憶領域をＭｙ ＢＯＸと称し、そのＭｙ ＢＯＸにある情報を利用したサービスをＭｙ ＢＯＸサービスと称することとする。
【００２１】
電子目次本３０は、利用者ごとの個人識別標章を作成して利用者を登録するための利用者インタフェースとして機能する。なお個人識別標章は、電子目次本３０にあらかじめ用意されている動物などを模したキャラクタ画像の顔の部分をフレーム枠として、そのフレームの枠内に利用者自身の顔写真などをはめ込んだ画像としている。そして電子目次本３０には、その標章となる画像を撮影するためのデジタルカメラ４０が搭載され、シャッタボタンが筐体の適宜位置に配設されている。
【００２２】
図４〜図８に電子目次本３０における利用者登録時の画面遷移を示した。電子目次本３０を起動すると、この目次本３０が備える各種機能を呼び出すためのトップ画面（図４：１２０）が表示される。ここでは、トップ画面１２０中の「メンバー追加」ボタン１２１を指示する。リモコン制御部３４は、この指示操作に応動してユニークな個人識別符号を発生する。本実施例では「メンバー追加」ボタンの指示機会ごとに連番で個人識別符号を発生する。なお、個人識別符号は２桁の数字としている。すなわち、この例では、個人識別符号は９９個までしか発生できない。そのため、電子目次本３０は所定の操作を受け付けて発生済みの個人識別符号を抹消して、個人識別符号が上限に達する前に同じ符号が再利用できるようになっている。この抹消操作は、カラオケ店舗の従業員などがカラオケの利用者が入れ替わるときなどに適時に行えばよい。
【００２３】
電子目次本３０は、新規の個人識別符号を発生すると、利用者登録開始画面（図５：１３０）を表示する。この画面１３０には、利用者登録手順の説明１３１と、あらかじめメモリに用意されている数種類のフレーム画像１３２の一覧１３３とが含まれている。利用者がこの利用者登録開始画面１３０中のフレーム一覧１３３から希望のフレーム１３２を選択すると、デジタルカメラ４４の撮影画像を含む撮影画面（図６：１４０）が表示される。この画面１４０において、撮影画像が子画面１４１に表示されるとともに、この画面１４１に先に選択したフレーム画像の枠と同じ形状の輪郭線（ガイドフレーム）１４２が表示される。利用者は、この状態でデジタルカメラ４４を被写体に向け、枠内にはめ込みたい部分がこのガイドフレーム１４２内に納まるように電子目次本３０本体を前後左右に動かして構図を決め、シャッタボタンを押す。リモコン制御部３４は、この撮影操作に応動してデジタルカメラ４４の撮影画像からガイドフレーム１４２内の画像を切り取り、その切り取り画像を先に選択されたフレーム画像の枠内にはめ込む画像処理を行う。そして、このはめ込み画像を個人別識別標章としてフラッシュメモリ３５に記憶する。
【００２４】
電子目次本３０は、個人別識別標章が作成されると、次に名前の入力案内とともに文字パレット（図７：１５０）を表示する。利用者がこの文字パレットを使用して自身の氏名やニックネームなどの利用者名を文字入力すると、利用者登録画面（図８：１６０）が表示される。この画面には枠内に撮影画像がはめ込まれた状態のフレーム画像１６１とこの画像を個人識別標章として登録するためのボタン１６２とが含まれている。リモコン制御部３４は、この画面１６０にて「登録」ボタン１６２が指示されると、先に発生した個人識別符号と、作成した個人識別標章と、入力された利用者名とを対応付けしてフラッシュメモリ３５に記憶する。そして、先のトップ画面１２０を表示する。
【００２５】
＝＝＝会員登録＝＝＝
電子目次本３０は新規会員の登録手続も受け付ける。ＩＣカードを付与され、ホスト装置９０にＭＹ ＢＯＸの開設が済んでいない利用者が会員登録をしたい場合、上記利用者登録の手順に先立ってＩＣカードのＩＤを電子目次本３０に読み込ませる操作を行う。図９〜図１１にその操作にともなう画面遷移を示した。まず、トップ画面１２０の「ＭＹ ＢＯＸ」ボタン１２２を指示し、ＭＹ ＢＯＸサービスの一覧を含むＭＹ ＢＯＸメニュー画面（図９：１７０）を表示させる。利用者がこの一覧にある「会員登録」ボタン１７１を指示するとカードＩＤの登録を促す記載を含んだ案内画面が表示される（図１０：１８０）。利用者がこの案内に従ってＩＣカードをアンテナ４５に接触させると、カードインタフェース４６は、アンテナ部４５を介して受け取った変調電波を復調し、その復調信号に多重化されているカードＩＤのコードを抽出してそのコードをリモコン制御部３４に転送する。リモコン制御部３４は、カードＩＤのコードを受け取ると個人識別符号を発生し、カードＩＤを会員ＩＤとして個人識別符号と対応付けして記憶する。電子目次本３０は、会員ＩＤの登録を終えると、先の利用者登録開始画面１３０の表示し、以後は上述の利用者登録手順に従って、個人識別標章や利用者名の登録を受け付ける。
【００２６】
なお本実施例では、会員専用のフレームが用意されており、会員登録に引き続いて表示される利用者登録開始画面（図１１：１３０ｂ）のフレーム画像一覧１３３ｂには、その会員専用のフレーム１３２ｂも表示される。もちろん、会員が選択可能なフレームと一般利用者が選択可能なフレームとを完全に区別しておいてもよい。このように会員専用のフレームを用意することで、会員と一般利用者と差別化でき、新規会員の登録を促すことができる。会員が登録料や会費を支払うのであれば、会員増加はカラオケ事業者の収益に繋がる。
【００２７】
また、会員資格がすでにある利用者については、上記手順を踏まず、トップ画面１２０の「ＭＹ ＢＯＸ」ボタン１２１を指示し、ＭＹ ＢＯＸサービスメニュー画面１７０中の会員認証ボタン１７２を指示し、会員登録画面１８０と同じ画面１８０を表示する。利用者がＩＣカードをアンテナ部４５に接触させると、リモコン制御部３４が会員ＩＤを取得して個人識別符号を発行し、利用者フォルダを作成する。そして、カードＩＤと個人識別符号とをそのフォルダに格納する。図１２に個人識別符号と各種情報との対応付けの概略を示した。２桁の個人識別符号に個人識別標章の画像ファイル名と利用者名とが対応付けされ、会員登録した利用者については会員ＩＤも対応付けされている。ＭＹ ＢＯＸ開設済みの会員については個人識別符号に会員ＩＤのみが対応付けされている。
【００２８】
全利用者の登録作業を終えたら、電子目次本３０を充電架台５０に装着する。トップ画面１２０などに充電架台０への装着を促す旨のメッセージ文を記載しておいてもよい。なお、ＩＣカードをアンテナ部４５に接触させた状態で立て掛けられるカードホルダがあると、操作中のＩＣカードの扱い勝手がよく便利である。それには、カードホルダを含むアンテナ部４５とカードインタフェース４６とを充電架台５０側に搭載することが望ましい。これにより、電子目次本３０を小型化することができ、より可搬しやすくなる。もちろん、２次電池の消費節約にも寄与する。この場合、通信インタフェース（ＩＦ）３９を介して充電架台５０内のカードインタフェース４６と通信し、ＩＣカードから会員ＩＤを取得できる。そして、ＩＣカードを読み込ませる操作に伴う利用者登録の手続中は電子目次本３０を充電架台５０に装着させるように促せばよい。
【００２９】
電子目次本３０を充電架台５０に装着すると、充電架台５０は電源入力端子４２を介して電子目次本３０側へ電源供給して２次電池４３を充電させるとともに、通信ＩＦ用端子４０と接続して、電子目次本３０の通信ＩＦ３９と装置本体１０の通信インタフェース２４との通信を仲介する。それによって、メンバー表の起源となるデータが電子目次本３０から装置本体１０に転送される。装置本体１０の中央制御部１１は、受け取った情報をメンバー表にしてハードディスク装置１２など所定の記憶部に格納する。また、受け取った情報中に会員ＩＤが存在し、その会員ＩＤに利用者名と個人識別標章とが対応付けされている場合にはその対応情報をホスト装置９０に送信する。ホスト装置９０は、そのカードＩＤを会員ＩＤとして新規のＭＹ ＢＯＸを開設する。また、ＭＹ ＢＯＸがすでに開設されている登録済み会員については、会員ＩＤをホスト装置３０に送信し、その会員ＩＤのＭＹ ＢＯＸに格納されている利用者情報を返送させる。装置本体１０はホスト装置３０から返送されてきた利用者情報（個人識別標章）をメンバー表の該当利用者に対応付けして管理するとともに、所定の利用者情報（例えば、選曲履歴やＭＹ 目次本など）を充電架台５０を介して電子目次本３０に転送し、電子目次本３０は該当する会員の個人識別符号に対応付けして記憶する。
【００３０】
＝＝＝演奏予約コマンド＝＝＝
図１３〜図１５は、電子目次本３０における演奏予約操作時の画面遷移である。電子目次本３０は、利用者がトップページから適宜な楽曲選曲方式を選択して楽曲検索を行ったり、自身のＭＹ ＢＯＸにある選曲履歴やＭＹ 目次本から楽曲を選択したりして、最終的に１曲が特定されると、その楽曲の詳細情報が記載された画面（図１３：１９０）を表示する。この画面には「予約」ボタン１９１があり、「予約」ボタン１９１が指示されると、利用者の指定を促すための個人識別標章の一覧（図１４：１９２）を詳細画面１９０中にポップアップ表示する。本実施例では、メンバー表に登録されている利用者の個人識別標章１９３に加え、メンバー登録していない人（臨時利用者）用の個人識別標章（臨時標章）１９４も選択可能にして一覧１９２に表示する。なお臨時利用者とは、例えば、カラオケ会場に後から遅れてきて、利用者登録作業をする間もなく到着直後に演奏予約をする人、利用者登録作業が面倒で登録作業自体をしないで演奏予約する人、利用者登録していても自身の標章を指定して予約したくない人などである。また、本実施例において、臨時標章はフレーム自体であり、枠内が空白となっている。もちろん、漫画の顔などがあらかじめ枠内にはめ込まれていてもよい。
【００３１】
利用者が自分の標章を選択すると、電子目次本３０は、この選択された標章に対応する個人識別符号と特定楽曲の楽曲番号とを含む演奏予約コマンドを送信する。また、臨時標章が選択されると、その標章にあらかじめ対応付けされた符号（臨時番号）と楽曲番号とを含んだ演奏予約コマンドを送信する。そして、演奏予約コマンドを送信した旨の確認画面（図１５：２００）を表示し、先のトップ画面１２０に画面遷移する。
【００３２】
装置本体１０の中央制御部１１は、電子目次本３０から転送されてきた演奏予約コマンドを操作制御部１３を介して受け取り、そのコマンド中の楽曲番号を待ち行列に登録する際、その楽曲番号に個人識別符号や臨時番号を対応付けする。なお、臨時標章が１種類しかない場合には、臨時番号は装置本体１０側で採番してもよい。すなわち、電子目次本３０は楽曲と臨時標章とが指定された場合、個人識別符号を伴わない楽曲番号のみの演奏予約コマンドを送信し、装置本体１０は、メンバー表に登録されていない適当な番号を臨時番号としてその楽曲に対応付けして待ち行列に登録する。図１６に待ち行列の登録状態を示した。この例では演奏中の楽曲も待ち行列で管理している。
【００３３】
＝＝＝個人識別標章の表示制御＝＝＝
中央制御部１１は、メンバー表にて管理されている個人識別符号と個人識別標章との対応付けと、待ち行列にて管理されている楽曲番号と個人識別符号との対応付けとに基づいて、楽曲に関する各種処理に際して対応の個人識別標章をディスプレイに表示する。本実施例では、待ち行列の内容を曲間に予約リストとして表示するとき、待ち行列に従ってピックアップされた楽曲を演奏するときに個人識別標章をディスプレイ１８に表示する。なお装置本体１０は、臨時標章の画像データと臨時番号との対応関係をあらかじめ記憶しており、待ち行列中に臨時番号が対応付けされた楽曲番号を登録した際には、その臨時番号と対応の臨時標章とをメンバー表に登録する。もちろん、臨時番号と臨時商標とをあらかじめメンバー表に登録しておいてもよい。図１７に個人識別標章の表示状態を示した。（Ａ）は、予約リストに個人識別標章を表示したときの画面２１０であり、曲名に添えて予約した利用者の個人識別標章２１１が表示されている。（Ｂ）は、楽曲演奏中における表示状態であり、個人識別標章２２１は歌詞文字２２２の邪魔にならないところに表示されている。このように、本実施例では、個人識別標章はフレーム自体がキャラクタなどを模した特徴的な図案となっており、利用者ごとにフレームを変えることで枠内の顔写真が小さくても楽曲の予約者を特定できる。また、フレームの特徴的な図案自体を見るだけでも興味深く、カラオケの場に新しい楽しみを提供することができる。
【００３４】
＝＝＝変形フレーム＝＝＝
１種類のフレーム（１つのキャラクタ）に、例えば、  向きやポーズが異なっていたり、文字が書かれた吹き出しが付いたりする複数種類の変形フレームを用意しておき、楽曲に係わる各種処理のそれぞれに適宜な変形フレームによる個人識別標章を表示するようにしてもよい。変形フレームによる個人識別標章は電子目次本３０側で作成してもよいし、装置本体１０側で作成してもよい。
【００３５】
電子目次本３０で作成する場合、電子目次本３０は、変形フレームを記憶し、利用者登録時に基本フレームの枠内に顔写真を挿入した個人識別標章に加え、変形フレーム中に顔写真をはめ込んだ変形個人識別標章も作成する。そして、１つの個人識別符号にこれら複数の個人識別標章を対応付けし、その対応付けを装置本体１０に転送する。装置本体１０は、メンバー表によって個人識別符号に基本および変形個人識別標章の画像データを対応付けして管理する。
【００３６】
装置本体１０側で変形個人識別標章を作成する場合は、基本フレームに識別子を割り当てておき、変形フレームの画像データについては装置本体１０側に用意しておく。そして電子目次本３０は、基本の個人識別標章の画像データとその標章に使ったフレームの識別子とを個人識別符号に対応付けして装置本体１０に転送する。装置本体１０は、基本フレームの枠内にはめ込まれた顔写真部分を画像処理により切り取り、その切り取り画像を変形フレームの枠内にはめ込んで変形個人識別標章を作成する。もちろん、基本フレームの画像データも装置本体１０側に用意しておき、電子目次本３０は枠内にはめ込まれる顔写真の画像データとフレーム識別子とを装置本体１０に転送する。装置本体１０は、フレーム識別子と顔写真の画像データとに基づいて、基本および変形個人識別標章を作成する。なお、装置本体側で個人識別標章を作成する形態は、基本個人識別標章のみを表示する実施形態にも適用できる。
【００３７】
＝＝＝変形個人識別標章の表示制御＝＝＝
変形個人識別標章を含めた同種フレームによる個人識別標章の表示制御としては、例えば、予約リスト中には基本個人識別標章を表示し、待ち行列においてある楽曲が演奏中となった時点を演奏前として所定時間演奏開始用の変形個人識別標章を表示し、その後演奏中用の変形個人識別標章を表示し、待ち行列から楽曲が削除された時点、すなわち演奏終了直後に演奏後の変形個人識別標章を表示するなど、楽曲の処理に係わる各種処理の過程でそれぞれ異なる変形個人識別標章を表示すればよい。基本および複数の変形個人識別標章を短時間に適宜に切り替えてアニメーション表示のようにしてもよい。また、装置本体１０に周知の歌唱採点機能が搭載されていれば、演奏終了後に出力される採点結果、あるいは演奏中の途中採点経過などに応じ、基本および複数の変形個人識別標章から適宜な標章を表示することもできる。
【図面の簡単な説明】
【００３８】
【図１】本発明の実施例におけるカラオケ装置を含むネットワーク構成図である。
【図２】上記カラオケ装置の機能ブロック図である。
【図３】上記カラオケ装置に付属する電子目次本の外観図（Ａ）と機能ブロック図（Ｂ）である。
【図４】上記電子目次本に表示されるトップ画面の概略図である。
【図５】上記電子目次本に表示される利用者登録開始画面の概略図である。
【図６】上記電子目次本に表示される撮影画面の概略図である。
【図７】上記電子目次本に表示される文字パレットの概略図である。
【図８】上記電子目次本に表示される利用者登録画面の概略図である。
【図９】上記電子目次本に表示されるＭＹ ＢＯＸサービスメニュー画面の概略図である。
【図１０】上記電子目次本に表示される会員登録案内画面の概略図である。
【図１１】上記会員登録案内画面の次に表示される利用者登録開始画面の概略図である。
【図１２】上記電子目次本における個人識別符号と各種情報との対応付けの概略図である。
【図１３】上記電子目次本に表示される詳細情報画面の概略図である。
【図１４】上記詳細情報画面にて演奏予約を受け付ける際の画面概略図である。
【図１５】上記電子目次本に表示される予約確認画面の概略図である。
【図１６】上記カラオケ装置にて管理されている待ち行列の概略図である。
【図１７】上記カラオケ装置における個人識別標章の表示状態の概略図であり、予約リスト画面における表示状態（Ａ）と楽曲演奏中の表示状態（Ｂ）とを示している。
【符号の説明】
【００３９】
１  カラオケ装置
１１  中央制御部
１２  ハードディスク装置
１８  ディスプレイ
３０  電子目次本
３３  タッチパネル
４４  デジタルカメラ
１３２，１３２ｂ  フレーム
１９３，１９４，２１１，２２１  個人識別標章
【図１】
2005107267.tif 000003
【図２】
2005107267.tif 000004
【図３】
2005107267.tif 000005
【図４】
2005107267.tif 000006
【図５】
2005107267.tif 000007
【図６】
2005107267.tif 000008
【図７】
2005107267.tif 000009
【図８】
2005107267.tif 000010
【図９】
2005107267.tif 000011
【図１０】
2005107267.tif 000012
【図１１】
2005107267.tif 000013
【図１２】
2005107267.tif 000014
【図１３】
2005107267.tif 000015
【図１４】
2005107267.tif 000016
【図１５】
2005107267.tif 000017
【図１６】
2005107267.tif 000018
【図１７】
2005107267.tif 000019